(57)【要約】 【課題】ＡＬＣ材の場合にも取付けできて、施工精度が向上する「外装パネル用の開口部下地金具の構造」を提供することを目的とする。   【解決手段】壁面開口部５１を取り囲む４本の胴縁３と、胴縁３の端部５２を結ぶコーナー金具５３と、胴縁３に取付けられる開口部金具５４とで形成される。コーナー金具５３は、一対の胴縁３の端部５２のそれぞれに取付けられたスライド容易な一対の留め金具４が連結壁５５と連結片５６とで互いに連結する構造である。開口部金具５４は胴縁３に取付けられるスライド容易な留め金具５７と中間板５８とからなり、その中間板５８の先端部５９が壁面開口部５１の開口部縁部５１ａに沿って配置される。コーナー金具５３の一対の留め金具４は胴縁３にスライド容易に取付けられるので上下、左右に位置調整でき、開口部金具５４の留め金具５７も胴縁３にスライド容易に取付けられるので上下又は左右に位置調整できる。【選択図】  図２
2006152577.tif 000002
【特許請求の範囲】
【請求項１】
建築物の外壁本体の壁面開口部に設けられる外装パネル用の開口部下地金具の構造であって、
前記開口部下地金具は壁面開口部を取り囲む上下左右４本の胴縁と各々の胴縁の端部を結ぶコーナー金具と各々の胴縁に取付けられる開口部金具とからなり、
前記コーナー金具は、一対の胴縁の端部それぞれに取付けられたスライド容易な留め金具が互いに連結し、
前記開口部金具は胴縁に取付けられたスライド容易な留め金具に中間板を備え、その中間板の先端部が開口部縁部に沿って配置されることを特徴とする外装パネル用の開口部下地金具の構造。
【請求項２】
請求項１に記載の外装パネル用の開口部下地金具の構造であって、前記留め金具の中間板の長さは胴縁の幅よりも長く形成されることを特徴とする外装パネル用の開口部下地金具の構造。
【請求項３】
請求項１又は請求項２に記載の外装パネル用の開口部下地金具の構造であって、
前記胴縁は屋外側に開口を有する底面と２側面とからなる断面コ字状の長尺材で、両開口端部には開口内部に向けてストッパーが立設され、
前記留め金具は底面と２側面とからなる断面コ字状の短尺材で、前記胴縁の長手方向の任意の位置に前記留め金具を嵌着するように、前記留め金具の両側部には、前記胴縁の対向するストッパー間の隙間から前記留め金具を前記胴縁の内部に挿入する際にストッパーを介して前記胴縁の両側面を徐々に弾性的に押し広げるガイド面と、前記留め金具を胴縁内に挿入した際に屋内側からストッパーに係止させる係止面とを備えた係止突起を突設するとともに、
前記コーナー金具の留め金具の両側面は複数のスリットにより分割されて不撓側面部と可撓側面部に区分され、この可撓側面部は不撓側面部よりも断面コ字状の内部側に傾斜するとともにその先端部が不撓側面部の先端部よりも突出して形成されることを特徴とする外装パネル用の開口部下地金具の構造。
【発明の詳細な説明】
【技術分野】
【０００１】
本発明は、外装パネル用の開口部下地金具の構造に関し、特に開口部に対する位置調整が可能で、ＡＬＣ材からなる外壁本体でも安定して取付けることができる技術に関する。
【背景技術】
【０００２】
従来、建築物の外壁本体の開口部に例えば金属サイディング等の外装パネルを取付ける開口部下地金具の構成は、特許文献１の記載が知られている。
【０００３】
特許文献１によれば、図１１に示すように、一対の縦胴縁６０が外壁本体６１に取付けられ、この一対の縦胴縁６０に取付け金具６２を介して横胴縁６３が設けられる。
【０００４】
そして、縦胴縁６０、横胴縁６３のそれぞれに留め金具６４、６５が装着される。なお、図１１には横胴縁６３が１組しか示されていないが横胴縁６３は上下一対設けられる。
【０００５】
このように、一対の縦胴縁６０、横胴縁６３が外壁本体の開口部を囲むようにして組付けられて外壁本体の開口部下地金具が配置される。
【特許文献１】特開２０００−３３６８９１号公報
【発明の開示】
【発明が解決しようとする課題】
【０００６】
図１１の外壁本体の開口部下地金具の構成では、それぞれ一対の縦胴縁６０、横胴縁６３を外壁本体の開口部に一致させて配置される。
【０００７】
しかしながら、外壁本体がＡＬＣ材で形成されている場合にはＡＬＣ材が脆弱な材料で破壊しやすいため、固着具としてのビス等のネジを締めすぎると保持力が急激に低下して縦胴縁６２或いは横胴縁６３が脱落するという問題があり、特に開口部近傍においてのＡＬＣ材への取付けは十分な注意が必要であった。
【０００８】
また、開口部において縦胴縁、横胴縁の施工精度を確保するのが困難であった。
【０００９】
そこで、本発明は、建築物の外壁本体がＡＬＣ材の場合にも問題なく取付けできて、開口部下地金具の施工精度が向上し、施工時間が短縮する「外装パネル用の開口部下地金具の構造」を提供することを目的とする。
【課題を解決するための手段】
【００１０】
請求項１の発明は、建築物の外壁本体の壁面開口部に設けられる外装パネル用の開口部下地金具の構造であって、前記開口部下地金具は壁面開口部を取り囲む上下左右４本の胴縁と各々の胴縁の端部を結ぶコーナー金具と各々の胴縁に取付けられる開口部金具とからなり、前記コーナー金具は、一対の胴縁の端部それぞれに取付けられたスライド容易な留め金具が互いに連結し、前記開口部金具は胴縁に取付けられたスライド容易な留め金具に中間板を備え、その中間板の先端部が開口部縁部に沿って配置されることを特徴としている。
【００１１】
この外装パネル用の開口部下地金具の構造であれば、前記コーナー金具は、一対の胴縁の端部それぞれに取付けられたスライド容易な留め金具が互いに連結する構成なので、開口部下地金具を開口部に取付ける際に、上下左右４本の胴縁を型崩れせず一体的に開口部に宛がって調整することができる。
【００１２】
また、前記コーナー金具の留め金具をスライドさせることにより、前記開口部下地金具としての上下左右４本の胴縁と壁面開口部との隙間調整が可能になる。
【００１３】
さらに、前記開口部金具は胴縁に取付けられたスライド容易な留め金具に中間板を備え、その中間板の先端部が開口部縁部に沿って配置されるので、外装パネル固定用のビス等の固着具を開口部縁部から離れた位置に取付ることができる。
【００１４】
請求項２の発明は、請求項１に記載の外装パネル用の開口部下地金具の構造であって、前記留め金具の中間板の長さは胴縁の幅よりも長く形成されることを特徴としている。
【００１５】
この外装パネル用の開口部下地金具の構造であれば、中間板の長さは胴縁の幅よりも長く形成されるので、外装パネル固定用のビス等の固着具が開口部縁部から十分離れた位置に取付ることができる。
【００１６】
請求項３の発明は、請求項１又は請求項２に記載の外装パネル用の開口部下地金具の構造であって、前記胴縁は屋外側に開口を有する底面と２側面とからなる断面コ字状の長尺材で、両開口端部には開口内部に向けてストッパーが立設され、前記留め金具は底面と２側面とからなる断面コ字状の短尺材で、前記胴縁の長手方向の任意の位置に前記留め金具を嵌着するように、前記留め金具の両側部には、前記胴縁の対向するストッパー間の隙間から前記留め金具を前記胴縁の内部に挿入する際にストッパーを介して前記胴縁の両側面を徐々に弾性的に押し広げるガイド面と、前記留め金具を胴縁内に挿入した際に屋内側からストッパーに係止させる係止面とを備えた係止突起を突設するとともに、
前記コーナー金具の留め金具の両側面は複数のスリットにより分割されて不撓側面部と可撓側面部に区分され、この可撓側面部は不撓側面部よりも断面コ字状の内部側に傾斜するとともにその先端部が不撓側面部の先端部よりも突出して形成されることを特徴としている。
【００１７】
この外装パネル用の開口部下地金具の構造であれば、前記留め金具の両側部には、前記胴縁の対向するストッパー間の隙間から前記留め金具を前記胴縁の内部に挿入する際にストッパーを介して前記胴縁の両側面を徐々に弾性的に押し広げるガイド面と、前記留め金具を胴縁内に挿入した際に屋内側からストッパーに係止させる係止面とを備えた係止突起を突設している。
【００１８】
さらに、コーナー金具の可撓側面部は不撓側面部よりも断面コ字状の内部側に傾斜するとともにその先端部が不撓側面部よりも突出して形成される。
【発明の効果】
【００１９】
請求項１記載の発明によれば、前記コーナー金具は、一対の胴縁の端部それぞれに取付けられたスライド容易な留め金具が互いに連結する構成なので、開口部下地金具を開口部に取付ける際に、上下左右４本の胴縁を型崩れせず一体的に開口部に宛がって調整することができるため、開口部下地金具の取付け作業性が向上する。
【００２０】
また、コーナー金具の留め金具をスライドさせて、上下左右４本の胴縁と壁面開口部との隙間調整が容易に可能になる。そのため、開口部に対しての開口部下地金具の施工精度が向上する。
【００２１】
さらに、中間板の先端部が開口部縁部に沿って配置されるので、外装パネル固定用のビス等の固着具が開口部縁部から離れた位置に取付ることができるので、建築物の外壁本体がＡＬＣ材の場合でも、ＡＬＣ材を破壊することなく取付けることができる。
【００２２】
請求項２記載の発明によれば、中間板の長さは胴縁の幅よりも長く形成されるので、外装パネル固定用のビス等の固着具が開口部縁部から十分離れた位置に取付ることができるので、建築物の外壁本体がＡＬＣ材の場合でも、ＡＬＣ材を破壊することなく取付けることができる。
【００２３】
請求項３の発明によれば、留め金具は前記胴縁の両側面を徐々に弾性的に押し広げるガイド面と係止面を備えるので、留め金具は任意の位置で前記胴縁に取付できるので作業性が向上する。
【００２４】
また、前記可撓側面部の先端部が前記胴縁の底面に押し当てられることで可撓側面部が撓むので、前記係止突起を前記ストッパーに弾性的に押し当てることができるので留め金具を胴縁に安定して固着できる。
【発明を実施するための最良の形態】
【００２５】
＜外装パネル用の開口部下地金具の構成＞
以下に、本発明の実施形態を図１〜図９に基づいて説明する。
【００２６】
図１、図２に示すように、本発明の、建築物の外壁本体の壁面開口部５１に設けられる「外装パネル用の開口部下地金具５０」は、壁面開口部５１を取り囲む上下左右４本の胴縁３と、各々の胴縁３の端部５２を結ぶコーナー金具５３が４組と、各々の胴縁３に取付けられる開口部金具５４が合計１２組とで形成される。
【００２７】
ここで、前記コーナー金具５３は、一対の胴縁３の端部５２のそれぞれに取付けられたスライド容易な一対の留め金具４が連結壁５５と連結片５６とで互いに連結される構造である。
【００２８】
さらに、前記開口部金具５４は胴縁３に取付けられるスライド容易な留め金具５７と中間板５８とからなり、その中間板５８の先端部５９が壁面開口部５１の開口部縁部５１ａに沿って配置される。
【００２９】
前記コーナー金具５３の一対の留め金具４は胴縁３にスライド容易に取付けられるので上下（矢印Ｙ１）、左右（矢印Ｙ２）に位置調整でき、前記開口部金具５４の留め金具５７も胴縁３にスライド容易に取付けられるので上下（矢印Ｙ３）又は左右（矢印Ｙ４）に位置調整できる。
【００３０】
なお、前記コーナー金具５３の場合は、一対の留め金具４が連結壁５５と連結片５６とで互いに連結されているので、胴縁３をスライドさせることにより留め金具４を相対的にスライドすることができる。
【００３１】
＜コーナー金具４詳細＞
図３、図４、図５に示すように、コーナー金具５３の一対の留め金具４は断面コ字状で頂面（底面）１０は長さＬ１＝５５ｍｍ、幅Ｍ１＝４０ｍｍに形成され、頂面１０の中央部には下穴２７が凹状円形の座繰部２８に囲まれて形成される。
【００３２】
留め金具４の２側面１１には、胴縁３の長手方向の任意の位置で留め金具４を嵌着できるように、係止突起１４がそれぞれ２個合計４個突設される。その取付け位置は、一端部２５と他端部２６からそれぞれ長さＬ３＝１２、５ｍｍの位置で、係止突起１４間の距離はＬ２＝３０ｍｍである。
【００３３】
係止突起１４は曲面のガイド面１２と平面縁の係止面１３とからなる「半お椀形状」であり、側面１１から突設する高さＱ１＝４ｍｍ、取付け長さＱ３＝４ｍｍである。頂面１０からの取付け位置はＱ４＝３、５ｍｍの位置に取付けられる。
【００３４】
留め金具４の２側面１１は、幅Ｐ３の２条のスリット１５によって、３分割され、一端部２５から順に、幅Ｐ１の不撓側面部１６と幅Ｐ２の可撓側面部１７が交互に配列され、不撓側面部１６と可撓側面部１７の断面形状はそれぞれ異なる形状である。
【００３５】
不撓側面部１６の断面形状は、側面１１（幅Ｍ１＝４０ｍｍ）の位置で、高さＨ３＝１９ｍｍであり、高さＨ４＝５ｍｍの位置２４のところから内側に長さＨ５＝１ｍｍだけ折れ曲がって（角度θ=略１０度）先端部１９が形成される。
【００３６】
可撓側面部１７の断面形状は、側面１１（幅Ｍ１＝４０ｍｍ）の位置で、高さＨ５＝２０ｍｍで形成され、不撓側面部１６に比べて長さＹ１＝１ｍｍ（Ｈ５ーＨ３）だけ長い。そして、不撓側面部１６は底面１０から長さＹ＝８ｍｍの位置２１（スリット１５の上端２０と一致する）から内側に長さＨ７の位置２２まで折れ曲がって（角度θ=略１０度）形成される。このとき、位置２２は先端部１８から長さＨ６のところであり、不撓側面部１６における先端部１９から長さＨ４の位置２４と同じレベルである。
【００３７】
さらに、位置２２から先端部１８にかけて長さＨ８折れ曲がって形成され、先端部１８には底面５に略平行な接触片２３（接触面）が長さＨ９=略５ｍｍで形成される。
【００３８】
このように、側面１１から先端部１８まで２度折れ曲がった合計長さは、Ｈ７＋Ｈ８＝２ｍｍに形成される。
【００３９】
そして、一対の留め金具４は、１側面１１を延設する円弧状（半径略６ｍｍ）の連結壁５５で連結される。さらに、長さＳ＝６０ｍｍ，幅Ｔ＝２０ｍｍの連結片５６によって、それぞれの留め金具４の一端部２５近傍の頂面１０の内部側をスポット溶接Ｕ（スポット溶接間の距離Ｓ１＝５０ｍｍ）により連結固着する。
【００４０】
なお、開口部下地金具５０に用いられる材料は板厚０、８ｍｍの鋼材が使用される。
【００４１】
＜胴縁３と留め金具４との相対関係＞
図６に示すように、胴縁３は屋外側に開口３ａを有する底面５と２側面６とからなる断面コ字状の長尺材で、両開口端部７には開口内部に向けてストッパー８が立設される。
【００４２】
このストッパー８は、両開口端部７に直角に取付られるリップ８ａとしての短辺と、このリップ８ａの先端部から側面６に平行で底面５に向けて設けられるフランジ８ｂとで形成される。
【００４３】
上述のように、前記胴縁３の対向するストッパー８間の隙間（開口３ａ）から前記留め金具４を前記胴縁３の内部に挿入する際にストッパー８を介して前記胴縁３の両側面６を曲面のガイド面１２によって徐々に弾性的に押し広げ、前記留め金具４を胴縁３内に挿入した際に屋内側からストッパー８によって係止面１３に係止される。
【００４４】
そのため、係止突起１４を含めた留め金具４の幅寸法H５は、胴縁３の両フランジ８ｂ間の隙間（開口３ａ）の開口幅Ｒ２より大きく、且つ胴縁３の２側面６間の内距離Ｒ１より小さく形成される。
【００４５】
不撓側面部１６の先端部１９から係止突起１４の係止面１３までの長さＨ１０（Ｈ３−Ｑ４）は胴縁３のフランジ８ｂと底面５間の距離Ｈ２と略同じ長さに形成される。不撓側面部１６の高さH３は胴縁３の側面６の外形高さＨ１と同じか少し高く形成される。
【００４６】
それぞれの関係を式で表すと、
Ｒ１＞Ｈ５＞Ｒ２  Ｈ１０≒Ｈ２  Ｈ３≧Ｈ１である。
【００４７】
＜開口部金具５４の詳細＞
図７、図８に示すように、胴縁３に取付けられる開口部金具５４のスライド容易な留め金具５７は、断面コ字状で底面３０は長さＧ１＝８０ｍｍ、幅Ｌ１＝４０ｍｍ、高さＫ１＝１９、８ｍｍに形成される。留め金具５７の底面３０の両端部２９の中心部には、幅Ｈ４＝２０ｍｍ、長さＧ２＝９ｍｍでフラップ３１が高さＫ２＝１ｍｍだけ底面３０から飛出し底面３０に平行に設けられる。
【００４８】
底面３０の中央部３２には下穴３３が留め金具５７の長手方向に２８ｍｍｘ８ｍｍの長円穴で形成される。下穴３３とフラップ３１の中間には直径５ｍｍの一対の下穴３４が距離Ｇ３＝４６ｍｍ離れて設けられる。
【００４９】
留め金具５７の２側面３６には、胴縁３の長手方向の任意の位置で留め金具５７を嵌着できるように、係止突起１４がそれぞれ３個合計６個突設される。ここで、係止突起１４の形状は上記係止突起１４と全く同じでありその説明を省略する。
【００５０】
留め金具５７の（中間板５８と連結しない側の）側面３６の端部３８には、フランジ３９がＨ５＝４ｍｍ突設して設けられる。
【００５１】
中間板５８は、留め金具５７の１側面３６を含む断面コ字状で底面（頂面）４０は長さＬ４＝８０ｍｍ、幅Ｇ１＝８０ｍｍ、高さＫ１＝１９、８ｍｍに形成され、中央部には下穴４１が凹状円形の座繰部４２に囲まれて形成される。
【００５２】
底面４０には先端部５９から２条の凹溝４３が、長さＨ４＝３５ｍｍ，幅Ｇ４＝８ｍｍ、深さＫ３＝１、８ｍｍで幅Ｇ１の両幅端部４７の近傍に設けられるとともに、この２条の凹溝４３は外側面４４の端部４５に亘って連続して設けられる。端部４５にはフランジ４６が中間板５８の内部側に向けて幅Ｈ６＝１０ｍｍで突設される。
【００５３】
そして、留め金具５７と中間板５８は１側面３６を共有して一体的に形成される。
【００５４】
なお、共有される１側面３６と底面（頂面）４０との角度αは９０度より僅かに小さく例えば８８度にしておくのが好ましい。
【００５５】
＜胴縁３と開口部金具５４との相対関係＞
図９を用いて胴縁３と開口部金具５４との相対関係を説明するが、図６に示す「胴縁３と留め金具４との相対関係」と同構成部分については、図面に同符号を付して重複した説明を省略する。
【００５６】
図９に示すように、開口部金具５４の留め金具５７の係止突起１４が胴縁３のストッパー８に係止されて固着される。ここで、一対の係止突起１４間の長さＨ５は、胴縁３の２側面６間の内距離Ｒ１とほぼ同じ長さで、胴縁３の開口幅Ｒ２より大きく形成される。
【００５７】
底面３０から係止突起１４の係止面１３までの長さＨ１０は胴縁３のフランジ８ｂと底面５間の距離Ｈ２と略同じ長さに形成される。側面３６の高さＫ１は胴縁３の側面６の外形高さＨ１と同じか少し高く形成される。
【００５８】
それぞれの関係を式で表すと、
Ｒ１≒Ｈ５＞Ｒ２  Ｈ１０≒Ｈ２  Ｋ１≧Ｈ１である。
【００５９】
＜外装パネル用の開口部下地金具の作用＞
上述のように、前記コーナー金具５３の留め金具４は胴縁３にスライド容易に取付けられるので上下（矢印Ｙ１）、左右（矢印Ｙ２）方向に位置調整できる。さらに、前記開口部金具５４の留め金具５７も胴縁３にスライド容易に取付けられるので上下（矢印Ｙ３）又は左右（矢印Ｙ４）に位置調整できる。
【００６０】
従って、「外装パネル用の開口部下地金具５０」を壁面開口部５１に取付ける際には、まず、一体的に仮組みした開口部下地金具５０を、中間板５８の先端部５９が壁面開口部５１の開口部縁部５１ａに沿うようにあてがう。このとき、胴縁３に嵌着した前記開口部金具５４の留め金具５７をスライドして所定の位置に合わせておく。そして、前記コーナー金具５３の留め金具４を左右上下にスライドして中間板５８の先端部５９と開口部縁部５１ａとの間に隙間が生じないように微調整する。
【００６１】
このようにして調整すると、図１０に示すように、開口部金具５４の留め金具５７が胴縁３に嵌着するとともに、中間板５８の先端部５９が開口部縁部５１ａの延長線上になるように配置される。そして、開口部下地金具５０は図示しない方法で仮止めされる。
【００６２】
つぎに、外壁本体７０の（留め金具５７の）下穴３３に対応する位置にドリル加工して下穴７３を設け、この下穴７３に接着剤７４を注入ガンで注入するとともに固定ネジ（ＡＬＣ専用ビス）７１を挿入し、固定ネジ７１の先端部を一定トルクで外壁本体７０に螺合する。なお、このとき胴縁３にも同時に下穴７５が加工されて一体的に固着される。
【００６３】
接着剤７４が硬化した時点で固定ネジ７１が外壁本体７０に本固定するが、さらに、中間板５８の４１下穴と図示しないコーナー金具５３の下穴２７とに対して補助ビス７２を用いて外壁本体７０に螺合することで、開口部下地金具５０の固着が完了する。
【００６４】
そして、開口部下地金具５０の表面に外装パネル２が取付けられるが、外装パネル２は内部に断熱材を備え、表面を薄肉の金属板層で被覆してなる金属サイディングが用いられる。
【００６５】
外装パネル２を取付ける際に、役物４９によって外装パネル２の先端部４８の３面（外装パネル２の先端部４８とその近傍両面）を覆って中間板５８に重ねるが、このとき役物４９は中間板５８に設けられた２条の凹溝４３に嵌り込んで容易に固着することができる。
【００６６】
このように、壁面開口部５１の寸法に応じて胴縁３の取付け位置の調整（アジャストメント）が容易に可能になるので胴縁３の取付け精度が向上するとともに役物４９の取付け精度も向上する。
【００６７】
留め金具５７の底面３０の両端部２９の中心部にフラップ３１が底面３０から飛出し底面３０に平行に設けられるので、留め金具５７はフラップ３１によって弾力的にバネ機構としてガタつくことなく確実に胴縁３に装着できる。そのため、片手作業が可能になるので、取付け精度が向上するとともに施工時間が短縮できる。
【００６８】
また、開口部金具５４の側面３６と底面（頂面）４０との角度αは９０度より僅かに小さく例えば８８度に設定されるで、中間板５８の先端部５９が弾力的に働いて外壁本体７０に隙間なく押着することができる。
【００６９】
壁面開口部５１の寸法を施工前に調査することで、「外装パネル用の開口部下地金具５０」が事前に一体的に組込み可能となり、現場施工の作業比率が下がるので施工コストの削減ができる。
【００７０】
以上、本発明の実施形態を図面に基づいて説明したが、上記の実施例はいずれも本発明の一例を示したものであり、本発明はこれらに限定されるべきでないということはいうまでもない。
【００７１】
例えば、コーナー金具５３の一対の留め金具４が連結壁５５と連結片５６とで互いに連結する構造であるが、連結片５６による固着が確実にできれば連結壁５５は特に必要ではない。この場合留め金具４の構造が単純化されるので製作が容易になりコストも低減する。
【図面の簡単な説明】
【００７２】
【図１】本発明の実施形態における、「外装パネル用の開口部下地金具」の全体平面図である。
【図２】本発明の実施形態における、図１におけるＡ部平面図である。
【図３】本発明の実施形態における、コーナー金具５３の詳細平面図である。
【図４】本発明の実施形態における、図３におけるＢ−Ｂ矢視図である。
【図５】本発明の実施形態における、図３のＣ−Ｃ矢視図である。
【図６】本発明の実施形態における、胴縁３と留め金具４との装着状態を示す断面図である。
【図７】本発明の実施形態における、開口部金具５４の詳細平面図である
【図８】本発明の実施形態における、図７におけるＤ−Ｄ矢視図である。
【図９】本発明の実施形態における、胴縁３と開口部金具５４の留め金具５７との装着状態を示す断面図である。
【図１０】本発明の実施形態における、胴縁３と開口部金具５４と外装パネル２との装着状態を示す断面図である。
【図１１】従来例で、建築物の外壁本体の開口部に胴縁を設けた状態を示す斜視図である。
【符号の説明】
【００７３】
３  胴縁
４  留め金具
５０  開口部下地金具
５１  壁面開口部
５１ａ  開口部縁部
５２  端部
５３  コーナー金具
５４  開口部金具
５５  連結壁
５６  連結片
５７  留め金具
５８  中間板
５９  先端部
【図１】
2006152577.tif 000003
【図２】
2006152577.tif 000004
【図３】
2006152577.tif 000005
【図４】
2006152577.tif 000006
【図５】
2006152577.tif 000007
【図６】
2006152577.tif 000008
【図７】
2006152577.tif 000009
【図８】
2006152577.tif 000010
【図９】
2006152577.tif 000011
【図１０】
2006152577.tif 000012
【図１１】
2006152577.tif 000013